(57)【要約】【課題】直感的に理解しやすいユーザ・インタフェースを有する画像情報処理システムを提供する。【解決手段】アダプター３００は、位置検出装置４００が発信した超音波のエコーを返す。これを受け取った位置検出装置４００はアダプター３００の位置を示す位置情報を生成し、作業シート１００へ送信する。作業シート１００は、受信した位置情報に基づき、アダプター３００と表示媒体２００の各パワー受給コイルに重なる作業シート１００の各パワー供給コイルを特定して磁界結合を形成し、表示媒体２００とアダプター３００に電力を供給する。利用者が各アダプターに送信すべき画像データを指示すると、サーバ５００はその画像データをパケットに分割し、これらのヘッダ部分に、対応するアダプター識別情報を記述して、送信する。アダプター３００は、自身あてのパケットを抽出し、元の画像データを構築して送信し、表示媒体２００に表示させる。【選択図】図１
2009116603.tif 000002
【特許請求の範囲】
【請求項１】
複数の電力供給素子が配列された面と、
前記面に置かれ、前記電力供給素子を介して供給される電力を用いて画像データに応じた画像を表示する表示手段と、
前記表示手段に重ねて置かれ、当該表示手段に前記画像データを送信する送信手段と、
前記送信手段の位置を検出する位置検出手段と、
前記位置検出手段が検出した位置に基づいて、少なくとも一つの前記電力供給素子を選択する選択手段と、
前記選択手段が選択した前記電力供給素子により、前記表示手段に電力を供給する電力供給手段と
を具備することを特徴とする画像情報処理システム。
【請求項２】
前記送信手段は、
自身に割り当てられた第１識別情報を記憶する記憶手段と、
外部装置から第２識別情報を付した画像データを受信する受信手段と、
前記記憶手段から読み出した前記第１識別情報と、前記受信手段が受信した前記画像データに付された第２識別情報を比較して、両者が一致するか否かを判定する比較判定手段とを有し、
前記比較判定手段により、前記第１識別情報と前記第２識別情報とが一致すると判定した場合には、当該第２識別情報が付された画像データを前記表示手段に送信する
ことを特徴とする請求項１に記載の画像情報処理システム。
【請求項３】
前記送信手段は、前記画像データを要求する要求信号を生成し、前記記憶手段から読み出した前記第１識別情報を付して前記外部装置に送信する要求手段を有し、
前記受信手段は、前記要求手段による要求に応じて前記外部装置から第２識別情報を付して送信されてくる画像データを受信する
ことを特徴とする請求項２に記載の画像情報処理システム。
【請求項４】
前記表示手段は、自身に割り当てられた第３識別情報を出力し、
前記送信手段は、自身が重ねて置かれている前記表示手段が出力した前記第３識別情報を受け取る受取手段を有し、
前記要求手段は、前記受取手段が受け取った前記第３識別情報を、前記要求信号に含めて外部装置に送信し、
前記比較判定手段は、前記受取手段が受け取った前記第３識別情報と、前記受信手段が受信した前記画像データに付された第２識別情報とを比較して、両者が一致するか否かを判定し、
前記比較判定手段により、前記第３識別情報と前記第２識別情報とが一致すると判定した場合には、前記表示手段に当該第２識別情報が付された画像データを送信する
ことを特徴とする請求項３に記載の画像情報処理システム。
【請求項５】
前記表示手段は、自身に割り当てられた第３識別情報を出力し、
前記送信手段は、自身が重ねて置かれている前記表示手段が出力した前記第３識別情報を受け取る受取手段を有し、
前記受取手段が受け取った前記第３識別信号に応じて、当該表示手段に前記画像データを送信する
ことを特徴とする請求項１に記載の画像情報処理システム。
【請求項６】
前記送信手段は、
前記画像データを要求する要求信号を生成して外部装置に送信する要求手段と、
前記要求信号に応じて外部装置から送信されてくる前記画像データを受信する受信手段とを有し、
前記受信手段が受信した画像データを前記表示手段に送信する
ことを特徴とする請求項１に記載の画像情報処理システム。
【請求項７】
前記送信手段は、
利用者からの指示を受け取る指示受取手段を有し、
前記指示受取手段が受け取った指示が示す処理の内容に応じて、前記表示手段に前記画像データを送信する
ことを特徴とする請求項１ないし６のいずれか１項に記載の画像情報処理システム。
【請求項８】
複数の電力供給素子および複数の通信素子が配列された面と、
前記面に置かれ、前記電力供給素子を介して供給される電力を用いて、前記通信素子を介して供給される画像データに応じた画像を表示する表示手段と、
前記表示手段に重ねて置かれる被測位体と、
前記被測位体の位置を検出する位置検出手段と、
前記位置検出手段が検出した位置に基づいて、少なくとも一つの前記電力供給素子および少なくとも一つの通信素子をそれぞれ選択する選択手段と、
前記選択手段が選択した前記電力供給素子により、前記表示手段に電力を供給する電力供給手段と、
前記選択手段が選択した前記通信素子により、前記表示手段に前記画像データを供給する画像データ供給手段と
を具備することを特徴とする画像情報処理システム。
【請求項９】
前記表示手段は、自身に割り当てられた第４識別情報を出力し、
前記面は、
前記表示手段が出力した前記第４識別情報を前記選択手段が選択した通信素子により受け取る受取手段と、
前記画像データを要求する要求信号に、前記受取手段が受け取った前記第４識別情報を含めて外部装置に送信する要求手段と、
前記要求信号に応じて外部装置から送信されてくる第５識別情報が付された前記画像データを受信する受信手段と、
前記受取手段が受け取った前記第４識別情報と、前記受信手段が受信した前記画像データに付された第５識別情報を比較して、両者が一致するか否かを判定する比較判定手段とを有し、
前記比較判定手段により、前記第４識別情報と前記第５識別情報とが一致すると判定した場合には、前記表示手段に当該第５識別情報が付された画像データを送信する
ことを特徴とする請求項８に記載の画像情報処理システム。
【請求項１０】
前記被測位体は、利用者からの指示を受け取る指示受取手段を有し、
前記要求手段は、前記指示受取手段が受け取った指示が示す処理の内容に応じて、前記要求信号を生成する
ことを特徴とする請求項９に記載の画像情報処理システム。
【発明の詳細な説明】
【技術分野】
【０００１】
本発明は、画像情報処理システムにおけるユーザ・インタフェースの技術に関する。
【背景技術】
【０００２】
近年、パーソナルコンピュータのＧＵＩ（Graphical User Interface）において、表示を三次元構造化することにより、人の空間感覚を情報認識／操作に組み込み、複数のコンテンツに対する情報操作ユーザビリティを改善する技術が開発されている。さらに、アイコンなどのディスプレイ内に表示されるユーザ・インタフェースに対して、間接的に人の空間感覚を応用する以外に、タンジブル・ビットのような物理的なユーザ・インタフェースによって、直接的に人の空間感覚に訴える情報操作ユーザビリティの技術が開発されている。物理的なユーザ・インタフェースはディスプレイ内に表示されるユーザ・インタフェースと異なり、実際にその物に触れたり掴めたりするため、人がその物に対してどのような物理的操作ができるかということを直感的に理解しやすいという利点がある。
【０００３】
例えば、特許文献１には、ビジュアル・マーカーを表面に含んだ物理オブジェクトを介して実空間とコンピュータ上の論理空間とを連携する発明が開示されている。また、特許文献２には、複数の媒体（コンテンツ）を画像認識により連携させ、実空間での情報操作を可能とする発明が開示されている。
【特許文献１】特開２００１−１７５３７４号公報
【特許文献２】特開２００１−２６５５２３号公報
【発明の開示】
【発明が解決しようとする課題】
【０００４】
本発明の課題は、電子ペーパーなどの表示手段を実空間での情報操作に用いた画像情報処理システムを提供することである。
【課題を解決するための手段】
【０００５】
上述した課題を解決するため、本発明に係る画像情報処理システムは、複数の電力供給素子が配列された面と、前記面に置かれ、前記電力供給素子を介して供給される電力を用いて画像データに応じた画像を表示する表示手段と、前記表示手段に重ねて置かれ、当該表示手段に前記画像データを送信する送信手段と、前記送信手段の位置を検出する位置検出手段と、前記位置検出手段が検出した位置に基づいて、少なくとも一つの前記電力供給素子を選択する選択手段と、前記選択手段が選択した前記電力供給素子により、前記表示手段に電力を供給する電力供給手段とを具備することを特徴とする。
【０００６】
好ましくは、前記送信手段は、自身に割り当てられた第１識別情報を記憶する記憶手段と、外部装置から第２識別情報を付した画像データを受信する受信手段と、前記記憶手段から読み出した前記第１識別情報と、前記受信手段が受信した前記画像データに付された第２識別情報を比較して、両者が一致するか否かを判定する比較判定手段とを有し、前記比較判定手段により、前記第１識別情報と前記第２識別情報とが一致すると判定した場合には、当該第２識別情報が付された画像データを前記表示手段に送信するとよい。
【０００７】
また、好ましくは、前記送信手段は、前記画像データを要求する要求信号を生成し、前記記憶手段から読み出した前記第１識別情報を付して前記外部装置に送信する要求手段を有し、前記受信手段は、前記要求手段による要求に応じて前記外部装置から第２識別情報を付して送信されてくる画像データを受信するとよい。
【０００８】
また、好ましくは、前記表示手段は、自身に割り当てられた第３識別情報を出力し、前記送信手段は、自身が重ねて置かれている前記表示手段が出力した前記第３識別情報を受け取る受取手段を有し、前記要求手段は、前記受取手段が受け取った前記第３識別情報を、前記要求信号に含めて外部装置に送信し、前記比較判定手段は、前記受取手段が受け取った前記第３識別情報と、前記受信手段が受信した前記画像データに付された第２識別情報とを比較して、両者が一致するか否かを判定し、前記比較判定手段により、前記第３識別情報と前記第２識別情報とが一致すると判定した場合には、前記表示手段に当該第２識別情報が付された画像データを送信するとよい。
【０００９】
また、好ましくは、前記表示手段は、自身に割り当てられた第３識別情報を出力し、前記送信手段は、自身が重ねて置かれている前記表示手段が出力した前記第３識別情報を受け取る受取手段を有し、前記受取手段が受け取った前記第３識別信号に応じて、当該表示手段に前記画像データを送信するとよい。
【００１０】
また、好ましくは、前記送信手段は、前記画像データを要求する要求信号を生成して外部装置に送信する要求手段と、前記要求信号に応じて外部装置から送信されてくる前記画像データを受信する受信手段とを有し、前記受信手段が受信した画像データを前記表示手段に送信するとよい。
【００１１】
また、好ましくは、前記送信手段は、利用者からの指示を受け取る指示受取手段を有し、前記指示受取手段が受け取った指示が示す処理の内容に応じて、前記表示手段に前記画像データを送信するとよい。
【００１２】
また、本発明に係る画像情報処理システムは、複数の電力供給素子および複数の通信素子が配列された面と、前記面に置かれ、前記電力供給素子を介して供給される電力を用いて、前記通信素子を介して供給される画像データに応じた画像を表示する表示手段と、前記表示手段に重ねて置かれる被測位体と、前記被測位体の位置を検出する位置検出手段と、前記位置検出手段が検出した位置に基づいて、少なくとも一つの前記電力供給素子および少なくとも一つの通信素子をそれぞれ選択する選択手段と、前記選択手段が選択した前記電力供給素子により、前記表示手段に電力を供給する電力供給手段と、前記選択手段が選択した前記通信素子により、前記表示手段に前記画像データを供給する画像データ供給手段とを具備することを特徴とする。
【００１３】
好ましくは、前記表示手段は、自身に割り当てられた第４識別情報を出力し、前記面は、前記表示手段が出力した前記第４識別情報を前記選択手段が選択した通信素子により受け取る受取手段と、前記画像データを要求する要求信号に、前記受取手段が受け取った前記第４識別情報を含めて外部装置に送信する要求手段と、前記要求信号に応じて外部装置から送信されてくる第５識別情報が付された前記画像データを受信する受信手段と、前記受取手段が受け取った前記第４識別情報と、前記受信手段が受信した前記画像データに付された第５識別情報を比較して、両者が一致するか否かを判定する比較判定手段とを有し、前記比較判定手段により、前記第４識別情報と前記第５識別情報とが一致すると判定した場合には、前記表示手段に当該第５識別情報が付された画像データを送信するとよい。
【００１４】
また、好ましくは、前記被測位体は、利用者からの指示を受け取る指示受取手段を有し、前記要求手段は、前記指示受取手段が受け取った指示が示す処理の内容に応じて、前記要求信号を生成するとよい。
【発明の効果】
【００１５】
本発明に係る画像情報処理システムによれば、そのユーザ・インタフェースが人にとって直感的に理解しやすいため、操作の習得が容易になり、作業効率が向上するという効果がある。
【発明を実施するための最良の形態】
【００１６】
以下、図面を参照して本発明の実施の形態を説明する。
（Ａ：構成）
（Ａ−１：画像情報処理システムの全体構成）
図１は画像情報処理システム１の全体構成を示す図である。また、図２は画像情報処理システム１の各構成装置の関係を示したブロック図である。図１に示すように、画像情報処理システム１は、薄手の平面状に構成された電力供給装置である作業シート１００と、薄手の平面状に構成された表示装置である表示媒体２００−１、２００−２（以下、これらを区別しないときは単に表示媒体２００という）と、平面状の底面を有するアダプター３００−１、３００−２（以下、これらを区別しないときは単にアダプター３００という）と、作業シート１００の上に置かれた物体の位置を検出する位置検出装置４００と、表示媒体２００に表示させる画像を示す画像データを供給するサーバ５００とを備える。表示媒体２００は、作業シート１００の上に置かれた状態で使用され、アダプター３００は、表示媒体２００の上に重ねて置かれた状態で使用される。作業シート１００と位置検出装置４００は通信ケーブルによって接続され、アダプター３００とサーバ５００は赤外線やＢｌｕｅｔｏｏｔｈ（登録商標）などの無線通信により通信可能に構成されている。図１には表示媒体２００およびアダプター３００をそれぞれ２つずつ示しているが、この表示媒体２００およびアダプター３００はそれぞれ１つであっても、３つ以上であってもよい。また、図１には位置検出装置４００を１つだけ示しているが、この位置検出装置４００は複数あってもよい。
【００１７】
作業シート１００は、平らな面を有し、その面から表示媒体２００およびアダプター３００に対して磁界結合を利用して電力の供給を行う装置である。以下、この作業シート１００の面のことを送信面という。サーバ５００はアダプター３００に対して無線通信を利用して画像データの供給を行う装置である。アダプター３００は、作業シート１００の送信面から供給される電力を用いて、サーバ５００から受け取った画像データを表示媒体２００に供給する装置である。表示媒体２００は、作業シート１００の送信面から供給される電力を用いて、アダプター３００から受け取った画像データに基づいた画像を表示する装置である。位置検出装置４００は超音波を発信し、測位対象物から反射されてくる超音波（以下、エコーという）を受信し、エコーの入射角と、発信から受信までにかかった時間とから、その対象物の位置を検出する装置である。この位置検出装置４００が超音波を発信する方向や範囲は予め適切に調整されており、これにより、位置検出装置４００の検出対象となる領域は、作業シート１００の送信面全域をカバーするようになっている。図１の場合、位置検出装置４００の測位対象物はアダプター３００であり、位置検出装置４００はアダプター３００の位置を検出して、その位置を表す位置情報を作業シート１００に出力する。
【００１８】
（Ａ−２：表示媒体の構成）
図３は表示媒体２００の構成を示すブロック図である。
制御部２３０はＣＰＵ（Central Processing Unit）などの演算装置であり、バス２９０を介して、媒体側通信コイル層２０１、パワー受給コイル層２１１、記憶部２４０及び表示部２５０を制御する。記憶部２４０はＲＯＭ（Read Only Memory）やＳＲＡＭ（Static Random Access Memory）などのメモリであり、表示部２５０に表示する画像データや制御部２３０に読み込まれる制御プログラムなどを記憶する。この制御部２３０と記憶部２４０はフィルム状の電子回路基板である基板２００Ｂの中に設けられている。媒体側通信コイル層２０１は、アダプター３００から画像データを受け取る、少なくとも１つの媒体側通信コイル２０１ｃを備える。パワー受給コイル層２１１は、作業シート１００から供給される電力を受け取る、少なくとも１つのパワー受給コイル２１１ｃを備えている。表示媒体２００の平面上における当該パワー受給コイル２１１ｃの位置は予め定められている。表示部２５０は例えば矩形の表示領域を有しており、制御部２３０による制御の下で、画像データに基づいた画像をその表示領域に表示する。この表示部２５０の表示方式は、電力の供給がなくても、一定期間表示内容を維持することができる表示方式であり、例えば、マイクロカプセル方式をはじめ、電子粉流体方式、液晶方式など様々な方式を採用することができる。
【００１９】
（Ａ−３：アダプターの構成）
図４はアダプター３００の構成の一例を示すブロック図である。
制御部３３０はＣＰＵなどの演算装置であり、バス３９０を介して、アダプター側通信コイル３０１、パワー受給コイル３１１、記憶部３４０及び通信部３５０を制御する。記憶部３４０はＲＯＭやＳＲＡＭなどのメモリであり、表示媒体２００に送信する画像データや制御部３３０に読み込まれる制御プログラムなどを記憶するほか、アダプター３００に固有のアダプター識別情報ＡＩＤを記憶する。アダプター側通信コイル３０１は、表示媒体２００の媒体側通信コイル２０１ｃとの間で磁界結合を形成することにより、表示媒体２００に画像データを送信する。通信部３５０は、サーバ５００に対して上述のアダプター識別情報ＡＩＤに対応する信号を送信するほか、サーバ５００から画像データを受け取る。パワー受給コイル３１１は、作業シート１００から供給される電力を受け取る。
【００２０】
（Ａ−４：作業シートの構成）
図５は作業シート１００の構成の一例を示す図である。
図に示すように、作業シート１００は、パワー供給コイル層１１１と、制御部１３０と、記憶部１４０と、外部機器インタフェース１５０とを備え、これらがバス１９０を介して接続されている。制御部１３０、記憶部１４０および外部機器インタフェース１５０は電子回路基板である基板１００Ｂの中に設けられている。
パワー供給コイル層１１１は、碁盤目状に配列された複数のパワー供給コイル１１１ｃを備えている。これらパワー供給コイル１１１ｃにはそれぞれ固有の識別情報ＳＩＤ（後述する）が割り当てられている。各々のパワー供給コイル１１１ｃは、制御部１３０の制御の下で駆動する固有のスイッチ（図示略）を備えており、オンにされたスイッチに対応するパワー供給コイル１１１ｃには、図示せぬ電源から電流が流される構成になっている。これにより作業シート１００は電磁波を送出し、表示媒体２００およびアダプター３００に対する無線送電を行う。なお、パワー供給コイル１１１ｃは碁盤目状に配列されているが、配列の態様は千鳥状に配列するなど他の態様であってもよい。
【００２１】
制御部１３０は、例えばＣＰＵなどの演算装置であり、記憶部１４０に記憶されている制御プログラムを読み出して実行することにより、作業シート１００の各部を制御する。記憶部１４０はフラッシュメモリなどの記憶装置であり、制御部１３０に読み込まれる制御プログラムを記憶する。さらに、この記憶部１４０は、パワー供給コイル１１１ｃとその位置との対応関係を記述するコイル位置対応表１４１とを記憶する。外部機器インタフェース１５０は、ＵＳＢ（Universal Serial Bus）などの接続端子であり、ＵＳＢケーブルなどの通信ケーブルを介して位置検出装置４００に接続されており、位置検出装置４００から出力される位置情報を受け取る。
【００２２】
（Ａ−５：コイル位置対応表の構成）
次に、コイル位置対応表１４１の詳細について説明する。
図６はコイル位置対応表１４１の一例を示す図であり、この図に示すようなコイル位置対応表１４１が記憶部１４０の所定の領域に予め記憶されている。このコイル位置対応表１４１には、パワー供給コイル層１１１に設けられた全てのパワー供給コイル１１１ｃの識別情報ＳＩＤと、各パワー供給コイル１１１ｃの中心座標とが対応付けられて記述されている。この中心座標は、作業シート１００の送信面に定めた２次元のＸＹ座標によって表わされる。
【００２３】
図７（ａ）は、表示媒体２００およびアダプター３００が作業シート１００の送信面に置かれた状態を鉛直方向上方から見た平面図であり、同図（ｂ）は同図（ａ）に示したアダプター３００近傍の拡大図である。作業シート１００の送信面を上方から見たとき、実際にはコイルは目に見えないが、ここでは、各コイルの位置関係を説明するため、各コイルを図中に示している。また、図８は、表示媒体２００およびアダプター３００が作業シート１００の送信面に置かれたときの断面図である。
表示媒体２００の４隅のうちの１つにおいては、アダプター３００の底面と大きさおよび形状が同じ領域が例えば赤色などで着色されている。以下、この領域を着色領域ａという。そして、アダプター３００は必ず表示媒体２００の着色領域ａに重ねて置かれるように定められている。図７（ｂ）に示すように、この着色領域ａの形状は、矩形の一部に切り欠き部分を設けた形状であり、回転対称性を持たない形状となっている。つまり、この着色領域ａの形状（即ちアダプター３００の底面の形状）は、３６０度未満のいずれの角度に回転しても、元の図形と重ならない形状である。これにより、アダプター３００の底面の形状と表示媒体２００の着色領域ａとを一対一に対応させる構成となっている。
【００２４】
そして、表示媒体２００においては、この着色領域ａの下方の予め定められた位置に媒体側通信コイル２０１ｃとパワー受給コイル２１１ｃがそれぞれ設けられている。一方、アダプター３００においては、表示媒体２００側の媒体側通信コイル２０１ｃに対応する位置に、アダプター３００側のアダプター側通信コイル３０１が設けられ、表示媒体２００側のパワー受給コイル２１１ｃに対応する位置に、アダプター３００側のパワー受給コイル３１１が設けられている。これにより、利用者がこの着色領域ａを目印にしてアダプター３００をここに重ねて置くと、図８に示すように、表示媒体２００側のパワー受給コイル２１１ｃとアダプター３００側のパワー受給コイル３１１とが重なるとともに、表示媒体２００側の媒体側通信コイル２０１ｃとアダプター３００側のアダプター側通信コイル３０１とが重なるようになっている。
【００２５】
また、作業シート１００の制御部１３０は、表示媒体２００側のパワー受給コイル２１１ｃを設けた着色領域ａ内部の位置を記憶部１４０に予め記憶しており、この位置と上述した位置検出装置４００から出力される位置情報とに基づいて、パワー供給コイル層１１１に碁盤目状に配列された複数のパワー供給コイル１１１ｃのうち、少なくとも１つを選択して、これに電流を流す。このとき選択されたパワー供給コイル１１１ｃは、表示媒体２００のパワー受給コイル２１１ｃと、アダプター３００のパワー受給コイル３１１とに重なるコイルである。表示媒体２００のパワー受給コイル２１１ｃは、自身のコイル周の内側領域に重なっている上記パワー供給コイル１１１ｃから電磁波を受けて磁界結合を形成し、表示媒体２００を駆動する電力を得る。同様に、アダプター３００のパワー受給コイル３１１も、自身のコイル周の内側領域に重なっている上記パワー供給コイル１１１ｃから電磁波を受けて磁界結合を形成し、アダプター３００を駆動する電力を得る。
【００２６】
なお、パワー受給コイル２１１ｃはパワー供給コイル１１１ｃと任意の相対位置に置かれるため、上述した磁界結合を形成するためには、パワー受給コイル２１１ｃがパワー供給コイル１１１ｃよりも大きいことが望ましい。同様に、パワー受給コイル３１１はパワー供給コイル１１１ｃよりも大きいことが望ましい。
【００２７】
（Ａ−６：サーバの構成）
図９はサーバ５００の構成の一例を示すブロック図である。
制御部５３０はＣＰＵなどの演算装置であり、バス５９０を介して、記憶部５４０、通信部５５０、操作部５６０及び表示部５７０を制御する。記憶部５４０はハードディスクドライブなどの大容量記憶装置であり、制御部５３０に読み込まれる基本ＯＳやプログラムを記憶するほか、後述する画像データ対応表５４１、画像ファイル群５４２を記憶する。表示媒体２００の表示部２５０は、同時に１ページ分の画像データを表示するが、この画像データは、１又は複数ページの画像データからなるファイルであり、各画像データにはページ番号が割り当てられている。画像ファイル群５４２は、このファイルが複数集合した群であり、ファイル毎に区切られ、各ファイル名によって管理される。
【００２８】
通信部５５０は、アダプター３００から上述のアダプター識別情報ＡＩＤに対応する信号を受け取るほか、アダプター３００へ画像データを送信する。操作部５６０は例えばメニュー画面に表示されたリスト中のいずれかの項目を選択するための方向ボタンやスイッチ、ウィンドウに表示されたボタンをクリックするためのマウスなどを備えており、利用者による操作を受け付けてその操作内容に応じた信号を制御部５３０に供給する。表示部５７０は、例えば液晶ディスプレイ装置であり、制御部５３０から与えられるデータに基づいて利用者との対話画面や各種の情報を表示する。
【００２９】
（Ａ−７：画像データ対応表の構成）
次に、上述した画像データ対応表５４１の詳細について説明する。
図１０は画像データ対応表５４１の一例を示す図であり、この図に示すような画像データ対応表５４１が記憶部５４０の所定の領域に予め記憶されている。画像データ対応表５４１には、各アダプター３００のアダプター識別情報ＡＩＤと、そのアダプター識別情報ＡＩＤが示すアダプター３００に対して最後に送信した画像データが属するファイルのファイル名と、その画像データに割り当てられたページ数とが対応付けられて記述されている。図に示す例では、アダプター識別情報ＡＩＤが「ＡＩＤ−１」であるアダプター３００に対しては、ファイル名「ＤＡＴＡ１」に含まれるページ「１」にあたる画像データが最後に送信されたことが記述されている。
【００３０】
（Ｂ：動作）
次に、画像情報処理システム１の動作を説明する。
図１１は画像情報処理システム１の動作の流れを説明するためのシーケンス図である。利用者は作業シート１００の上に表示媒体２００を置き、作業シート１００の図示しない電源ボタンを押下すると、作業シート１００に電力が供給され（ステップＳＡ０１）、通信ケーブルを通じて位置検出装置４００に電力が供給される（ステップＳＡ０２）。電力が供給された位置検出装置４００は、作業シート１００の送信面全域に向けて、超音波を発信する（ステップＳＡ０３）。この超音波は当該送信面の鉛直上方に少し間隔（例えば１〜３ｃｍ）をおいて発信されるため、薄い表示媒体２００には当たらない。利用者が表示媒体２００の上にアダプター３００を置くと、アダプター３００は上述した間隔よりも大きい厚みがあるため、上述の超音波が当たり、エコーを位置検出装置４００に返す（ステップＳＡ０４）。
【００３１】
エコーを受け取った位置検出装置４００は、超音波を発信してからエコーを受け取るまでの時間と受け取ったエコーの入射角に基づいてアダプター３００の位置を示す位置情報を生成する（ステップＳＡ０５）。ここで図１２は、位置検出装置４００が検出したエコーの入射角とアダプター３００の位置の関係を例示した図である。超音波の速度は気圧と温度の関数であるが、ここでは説明の簡単のため秒速３４０メートルとする。図に示すように、作業シート１００の頂点の１点に位置検出装置４００の超音波発信源が設置されている。位置検出装置４００は、この点を原点Ｏとし、作業シート１００の送信面に定めた２次元のＸＹ座標によって、アダプター３００が置かれた位置を検出する。いま、アダプター３００が置かれ、点Ｐによって、エコーを反射させたとし、超音波発信からエコーを受け取るまでの時間をｔ秒とすると、Ｏ−Ｐ間の距離Ｌ［メートル］は  Ｌ＝３４０×ｔ／２  である。エコーの入射角はθであるので、点ＰのＸＹ座標は（Ｌ・ｃｏｓθ，Ｌ・ｓｉｎθ）と表される。位置検出装置４００はこのＸＹ座標を位置情報として生成し、作業シート１００へ送信する（ステップＳＡ０６）。
【００３２】
図１０に戻る。作業シート１００は、受信した位置情報に基づき、アダプター３００のパワー受給コイル３１１の座標を算出する。また、アダプター３００は必ず表示媒体２００の左上隅に重ねて置かれるように決められているので、表示媒体２００のパワー受給コイル２１１ｃの座標も算出する。そして、コイル位置対応表１４１を参照して、これら算出した座標に最も近い位置にあるパワー供給コイル１１１ｃをそれぞれ特定する（ステップＳＡ０７）。パワー受給コイル３１１の座標に最も近い位置にあるパワー供給コイル１１１ｃが特定されると、制御部１３０は、この特定されたパワー供給コイル１１１ｃに電流を流し、パワー受給コイル３１１との間で磁界結合を形成して、アダプター３００に電力を供給する（ステップＳＡ０８）。同様に、パワー受給コイル２１１ｃの座標に最も近い位置にあるパワー供給コイル１１１ｃが特定されると、制御部１３０は、この特定されたパワー供給コイル１１１ｃに電流を流し、パワー受給コイル２１１ｃとの間で磁界結合を形成して、アダプター３００に電力を供給する（ステップＳＡ０９）。なお、ステップＳＡ０８とステップＳＡ０９は同時に行われてもよいし、いずれか一方が他方より先に行われてもよい。
【００３３】
電力が供給されると、アダプター３００の制御部３３０は、記憶部３４０からアダプター識別情報ＡＩＤを読み出し、これに応じた信号を通信部３５０から無線通信によりサーバ５００に送信する（ステップＳＡ１０）。サーバ５００の制御部５３０は、通信部５５０から上記信号を受信して、画像データ対応表５４１を参照し、このアダプター識別情報ＡＩＤが示すアダプター３００に対して最後に送信した画像データが属するファイルのファイル名およびその画像データに割り当てられたページ数を読み出す。そして、制御部５３０は、表示部５７０に、読み出したファイル名およびページ数を、アダプター識別情報ＡＩＤごとに表示する（ステップＳＡ１１）。
【００３４】
利用者がこの表示を見て、操作部５６０に対し、各アダプターに送信すべき画像データを指示する入力操作を行うと、制御部５３０はこれを受けて、画像ファイル群５４２を検索し、当該画像データを読み出すと共に、画像データ対応表５４１に記述された古いファイル名およびページ数を新しく指示されたものに更新する（ステップＳＡ１２）。そして、制御部５３０は、読み出した画像データをパケットに分割し、各パケットのヘッダ部分に、対応するアダプター識別情報ＡＩＤを記述して、通信部５５０から無線通信により送信する（ステップＳＡ１３）。アダプター３００の制御部３３０は、通信部３５０を介して、このパケットを受け取ると、パケットのヘッダ部分に記述されたアダプター識別情報ＡＩＤと、当該アダプター３００に割り当てられたアダプター識別情報ＡＩＤとを比較して、一致するパケットを抽出し、これらパケット群を用いて元の画像データを構築する（ステップＳＡ１４）。そして、制御部３３０は、この画像データをアダプター側通信コイル３０１から媒体側通信コイル２０１ｃへ送信する（ステップＳＡ１５）。表示媒体２００の制御部２３０はこの画像データを受け取って、その画像データが表す画像を表示部２５０に表示する（ステップＳＡ１６）。
【００３５】
以上説明した実施形態によれば、表示媒体２００を作業シート１００の送信面上のどの位置に置いたとしても、作業シート１００から表示媒体２００に対して電力と画像データを供給して、表示媒体２００に画像を表示させることができる。よって、表示媒体２００には、電源も必要ないし、画像データを記憶する不揮発性の記憶手段も必要ない。
また、表示媒体２００が表示した表示内容は電力の供給がなくても一定期間、維持されるので、利用者は、作業シート１００から表示媒体２００を離し、それを持ち帰っても、表示内容を確認することができる。
さらに、アダプター３００の位置を超音波で検出するため、特許文献１に記載されたシステムでは必須であった位置検出用カメラが不要となる。したがって、装置構成が簡単になり、製造コストを抑制することができる。
【００３６】
（Ｃ：変形例）
上述の実施形態を以下のように変形してもよい。
（１）上述の実施形態においては、アダプター３００には独自の電源がなく、アダプター３００は作業シート１００からの無線送電によって、駆動していたが、アダプター３００には独自の電源を備えてもよい。この場合、図７における、パワー受給コイル３１１は備えなくてもよい。
【００３７】
（２）上述の実施形態においては、図１０におけるステップＳＡ１０において、アダプター３００の通信部３５０は、アダプター識別情報ＡＩＤをサーバ５００へ送信していたが、このアダプター識別情報ＡＩＤの送信は必ずしも必須ではない。アダプター識別情報ＡＩＤと画像データとの対応関係はサーバ５００の記憶部５４０に記憶された画像データ対応表に記述されているから、制御部５３０はこの対応表に基づいて表示部５７０にアダプター識別情報ＡＩＤごとに、最後にアダプター３００に送信した画像データを示すファイル名およびページ数を表示させる。そして、利用者がこの表示を見て、各アダプターに送信すべき画像データを指示する入力操作を行うと、制御部５３０は、この操作に応じて前述したステップＳＡ１２，ＳＡ１３の処理を実行すればよい。
【００３８】
また、アダプター３００の通信部３５０が他の識別情報を送信することで、そのアダプター３００にどの画像が表示されているかを特定するようにしてもよい。例えば、アダプター３００の通信部３５０が表示媒体２００の情報を送信するようにしてもよい。この場合、画像情報処理システム１の各機器は以下のような構成とすればよい。すなわち、表示媒体２００の記憶部２４０には、その表示媒体２００を識別する媒体識別情報ＭＩＤを記憶させておき、表示媒体２００の制御部２３０は、媒体側通信コイル２０１ｃからこれに対応する信号を、アダプター３００のアダプター側通信コイル３０１へ送信させる。媒体識別情報ＭＩＤを受信したアダプター３００の制御部３３０は、通信部３５０から、これに対応する信号をサーバ５００に送信する。サーバ５００の制御部５３０は、媒体識別情報ＭＩＤと、画像データが属するファイルのファイル名およびその画像データに割り当てられたページ数を対応付けて画像データ対応表５４１に記述する。図１３は媒体識別情報ＭＩＤを記述した画像データ対応表５４１の一例を示した図である。図に示すように、媒体識別情報ＭＩＤが「ＭＩＤ−７８」である表示媒体２００に最後に送信された画像データが属するファイルのファイル名は「ＤＡＴＡ２」であり、そのページ数は「５」である。
【００３９】
このような構成とした画像情報処理システム１の動作を以下に説明する。図１４はこの変形例に係る画像情報処理システム１の動作の流れを説明するためのシーケンス図である。図１４において、図１１に示したステップと共通のステップには同じ符号を付しており、これらについての説明は省略する。
図１０に示したステップＳＡ０８およびステップＳＡ０９の後、表示媒体２００はアダプター３００に対して媒体識別情報ＭＩＤを送信する（ステップＳＢ０１）。そして、この媒体識別情報ＭＩＤを受信したアダプター３００は、これを記憶部３４０に記憶してから、サーバ５００に送信する（ステップＳＢ０２）。サーバ５００の制御部５３０は、受信したこの媒体識別情報ＭＩＤに基づいて、画像データ対応表５４１を検索し、この媒体識別情報ＭＩＤに対応する画像データのファイル名およびページ数をこの媒体識別情報ＭＩＤと共に、表示部５７０に表示する（ステップＳＢ０３）。利用者がこの表示を見て、操作部５６０に対し、各表示媒体２００に表示すべき画像データを指示する入力操作を行うと、制御部５３０はこれを受けて、画像ファイル群５４２を検索し、当該画像データを読み出す。そして、画像データ対応表５４１に記述された古いファイル名およびページ数を新しく指示されたものに更新し（ステップＳＢ０４）、読み出した画像データをパケットに分割し、各パケットのヘッダ部分に、上記の媒体識別情報ＭＩＤを記述して、通信部５５０から無線通信により送信する（ステップＳＢ０５）。アダプター３００の制御部３３０は、通信部３５０を介して、このパケットを受け取ると、パケットのヘッダ部分に記述されている媒体識別情報ＭＩＤと、記憶部３４０に記憶している媒体識別情報ＭＩＤとを比較して、一致するパケットを抽出し、元の画像データを構築する（ステップＳＢ０６）。そして、制御部３３０は、この画像データを上述の実施形態と同様に表示媒体２００に送信する（ステップＳＢ０７）。
このようにすれば、表示媒体２００の最新の表示内容をサーバ５００が記憶することができるので、表示媒体２００の最新の表示内容に応じた指示、例えば、今、表示されているページの次のページや前のページを表示媒体２００に表示させるための指示をすることができる。
【００４０】
（３）上述の実施形態においては、サーバ５００には操作部５６０が設けられており、これによって利用者の指示を受け付けて、指示に応じた画像データをアダプター３００に送信していた。
このようにサーバ５００が利用者の指示を受け付けてその指示に応じた処理を行うのではなく、サーバ５００以外の装置が、利用者からの指示を待つことなく、自ら能動的にサーバ５００に要求を送信することで、サーバ５００に処理を指示するような構成としてもよい。
例えば、アダプター３００からサーバ５００にアダプター識別情報ＡＩＤを送信すること自体がサーバ５００に対する画像データの要求であってもよい。この場合、画像データ対応表５４１は書き換え不能な固定的データとしておく。そして、サーバ５００は、アダプター識別情報ＡＩＤを受け取ると、画像データ対応表５４１を参照して対応する画像データを特定し、画像ファイル群５４２から当該画像データを読み出して、これをパケットに分割して送信する。この場合には、サーバ５００には操作部５６０と表示部５７０を設ける必要がない。このようにすると、例えば、アダプター３００を表示媒体２００に置いただけで、アダプター３００に固有の情報が表示媒体２００に表示されるという動作が可能となる。なお、画像データの送信要求はアダプター識別情報ＡＩＤでなくてもよく、画像データを示すファイル名およびページ数の組を送信要求信号としてもよい。
【００４１】
（４）また、実施形態のようにサーバ５００そのものが利用者の指示を直接受け付けるのではなく、サーバ５００以外の装置が利用者の指示を受け付けて、その指示に応じた要求をサーバ５００に送信することで、サーバ５００に処理を指示するような構成としてもよい。
例えば表示媒体２００に表示させる画像データの指示をアダプター３００が受け付けてもよい。この指示の態様は様々あるが、例えばアダプター３００を、サイコロのように「１」から「６」までの目が各面に描かれた立方体で構成し、どの面を上にして置いたかによって、アダプター３００から送信される要求の内容が変わるようにしてもよい。例えば、「１」〜「６」という数字に対応付けて画像データのファイル名及びページ数をアダプター３００の記憶部３４０に記憶しておく。そして、このアダプター３００の６つの面のそれぞれにパワー受給コイル３１１を設け、電流が流れたパワー受給コイル３１１に応じてそれぞれ異なる要求を送信するように構成する。例えばアダプター３００の「１」の面が上にして置かれたときには、制御部３３０はその「１」に対応するファイル名及びページ数を含む要求をサーバ５００に送信するといった具合である。
【００４２】
また、別の例として、アダプター３００に指示を受け付けるボタンなどを設けてもよい。図１５はアダプター３００に設けた操作部３６０の一例を示す図である。図に示すように、操作部３６０は、次ページを表示する旨の指示を示す次ページ指示ボタン３６０−１と、前ページを表示する旨の指示を示す前ページ指示ボタン３６０−２と、画像データの複写指示を示すコピー指示ボタン３６０−３という３つのボタンにより構成されている。この構成による動作は例えば以下のようになる。利用者が次ページ指示ボタン３６０−１を押下すると、アダプター３００の制御部３３０は、アダプター識別情報ＡＩＤと共に次ページの指示を示した信号をサーバ５００に送信する。これを受信したサーバ５００の制御部５３０は、画像データ対応表を参照して、受信したアダプター識別情報ＡＩＤに対応するファイル名およびページ数を特定し、このページ数を１増加させたページ数で特定される画像データを画像ファイル群５４２から読み出してアダプター３００に送信する。利用者が前ページ指示ボタン３６０−２を押下した場合には、ページ数を１減少させたページ数で特定される画像データが上述と同様にアダプター３００に送信される。利用者がコピー指示ボタン３６０−３を押下すると、アダプター３００の制御部３３０は、アダプター識別情報ＡＩＤと共にコピーの指示を示した信号をサーバ５００に送信する。これを受信したサーバ５００の制御部５３０は、まず、図示しないレジスタの内容がブランクであるか否かを判定し、ブランクであった場合には、画像データ対応表を参照して、受信したアダプター識別情報ＡＩＤに対応するファイル名およびページ数をレジスタに蓄積する。利用者が、例えば別の表示媒体２００の上にこのアダプター３００を重ねて置き、再度、コピー指示ボタン３６０−３を押下すると、これを受けた制御部５３０は、上述のレジスタの内容がブランクでないことを判定して、レジスタからファイル名とページ数を読み出し、これに対応する画像データを画像ファイル群５４２から読み出して、これをアダプター３００に送信する。そして、レジスタの内容を消去して再度ブランク状態に戻す。
アダプター３００は画像を表示させる表示媒体２００の上に置かれるため、利用者は、表示媒体２００を見ながらその表示内容に沿った指示をすることができる。なお、この場合にあっては、サーバ５００には操作部５６０と表示部５７０とを設けなくてもよい。
【００４３】
また、サーバ５００はアダプター３００に対して一つの画像データを送信したが、画像ファイル群５４２から複数ページの画像データからなるファイルを読み出し、ファイルごとアダプターに対して送信してもよい。この場合、アダプター３００は、送信されたファイルを記憶部３４０に記憶し、上述した操作部３６０による操作が記憶部３４０記憶したファイルに含まれるいずれかの画像データを表示させる指示である場合には、サーバ５００に画像データの送信要求を行わずに、記憶部３４０から読み出した当該画像データを表示媒体２００へ送信すればよい。なお、図１５に示すように、アダプター３００にはサーバ５００から送信されたファイルに含まれるいずれかの画像データを縮小して表示する表示部３７０を設けてもよい。縮小された画像データは、サーバ５００において生成されて、元の画像データと共にアダプター３００に送信されてもよいし、アダプター３００の制御部３３０に画像データを縮小するプログラムを実行させてもよい。また、アダプター３００に画像データを縮小する専用のプロセッサを設けてもよい。ここで表示部３７０に表示する画像データは特に限定しないが、例えば、表示媒体２００に表示されている画像データの次のページに該当する画像データなどを表示させてもよい。これにより、利用者は次のページの画像についての概要を把握することができる。
【００４４】
（５）上述の実施形態においては、アダプター３００と表示媒体２００とはコイルの磁界結合を利用した無線通信によって画像データのやり取りを行ったが、この画像データのやり取りは赤外線やＢｌｕｅｔｏｏｔｈなどの他の無線通信で行ってもよい。この場合には、媒体側通信コイル層２０１、媒体側通信コイル２０１ｃおよびアダプター側通信コイル３０１は設けなくてもよく、これらに替えて表示媒体２００には画像データを上記の無線通信により受信する他の受信装置を、アダプター３００には画像データを上記の無線通信により送信する他の送信装置をそれぞれ設ければよい。
【００４５】
（６）上述の実施形態においては、画像データの表示媒体２００への送信処理は、アダプター３００によって行われたが、この送信処理を作業シート１００が行ってもよい。この場合、作業シート１００には、表示媒体２００への送信処理を行う手段としてシート側通信コイル層１０１を設ければよい。図１６はこの変形例に係る作業シート１００の構成の一例を示す図である。図１６において、図４に示した構成要素と共通の構成要素には同じ符号を付しており、これらについての説明は省略する。シート側通信コイル層１０１に複数のシート側通信コイル１０１ｃが配列されている。表示媒体２００において、媒体側通信コイル２０１ｃとパワー受給コイル２１１ｃとは重ねられて設けられているか、予め定められた相対位置に設けられている。そのため、作業シート１００の制御部１３０は、位置検出装置４００から送信された位置情報に基づいて、パワー受給コイル２１１ｃと重なるパワー供給コイル１１１ｃを特定すると共に、媒体側通信コイル２０１ｃと重なるシート側通信コイル１０１ｃを特定する。このようにして特定されたシート側通信コイル１０１ｃは、媒体側通信コイル２０１ｃと磁界結合を形成して通信を行う。記憶部１４０には、パワー供給コイル１１１ｃとその位置との対応関係を記述するコイル位置対応表１４１に加えて、シート側通信コイル１０１ｃとその位置との対応関係を記述する通信コイル位置対応表１４２が記憶されている。
【００４６】
図１７はこの変形例に係る通信コイル位置対応表１４２の一例を示す図である。この通信コイル位置対応表１４２には、シート側通信コイル層１０１に設けられた全てのシート側通信コイル１０１ｃの識別情報ＣＩＤと、各シート側通信コイル１０１ｃの中心座標とが対応付けられて記述されている。この中心座標は、作業シート１００の送信面に定めた２次元のＸＹ座標によって表わされる。また、通信コイル位置対応表１４２には、媒体識別情報ＭＩＤを記述するフィールドが設けられている。初期状態において、このフィールドはブランクであるが、いずれかのシート側通信コイル１０１ｃが媒体側通信コイル２０１ｃから媒体識別情報ＭＩＤを示す信号を受信したとき、制御部１３０は、そのシート側通信コイル１０１ｃの識別情報ＣＩＤに対応するフィールドに、受信した媒体識別情報ＭＩＤを記述する。例えば、図では、座標（Ｘ５１，Ｙ５１）に中心座標があるシート側通信コイル１０１ｃの識別情報ＣＩＤは「ＣＩＤ−５１」であり、このシート側通信コイル１０１ｃが表示媒体２００から媒体識別情報ＭＩＤとして「ＭＩＤ−１」を受信したことを表している。
図１６の説明に戻る。作業シート１００の外部機器インタフェース１５０には複数の接続端子が備えられており、外部機器インタフェース１５０は、位置検出装置４００に加えて、サーバ５００とも通信ケーブルによって接続されている。これにより、サーバ５００と作業シート１００とは通信可能に構成される。
【００４７】
このような構成とした画像情報処理システム１の動作を以下に説明する。図１８はこの変形例に係る画像情報処理システム１の動作の流れを説明するためのシーケンス図である。図１８において、図１０および図１３に示したステップと共通のステップには同じ符号を付しており、これらについての説明は省略する。図１１に示したステップＳＡ０８およびステップＳＡ０９の後、表示媒体２００は作業シート１００に対して媒体識別情報ＭＩＤを送信する（ステップＳＣ０１）。作業シート１００の制御部１３０は、通信コイル位置対応表１４２に対し、この媒体識別情報ＭＩＤを受信したシート側通信コイル１０１ｃに対応する上記のフィールドに当該媒体識別情報ＭＩＤを記述する（ステップＳＣ０２）。そして、制御部１３０は、この媒体識別情報ＭＩＤをサーバ５００に送信する（ステップＳＣ０３）。サーバ５００の制御部５３０は、受信したこの媒体識別情報ＭＩＤに基づいて、画像データ対応表５４１を検索し、この媒体識別情報ＭＩＤに対応する画像データのファイル名およびページ数をこの媒体識別情報ＭＩＤと共に、表示部５７０に表示する（ステップＳＣ０４）。利用者がこの表示を見て、操作部５６０に対し、各表示媒体２００に表示すべき画像データを指示する入力操作を行うと、制御部５３０はこれを受けて、画像ファイル群５４２を検索し、当該画像データを読み出す。そして、画像データ対応表５４１に記述された古いファイル名およびページ数を新しく指示されたものに更新し（ステップＳＣ０５）、読み出した画像データのヘッダ部分に上記の媒体識別情報ＭＩＤを記述して、作業シート１００へ送信する（ステップＳＣ０６）。作業シート１００の制御部１３０は、外部機器インタフェース１５０を介して、この画像データを受け取ると、画像データのヘッダ部分に記述された媒体識別情報ＭＩＤと、通信コイル位置対応表１４２に記載された媒体識別情報ＭＩＤとを比較して、ヘッダ部分に記述された媒体識別情報ＭＩＤに対応するシート側通信コイル１０１ｃを特定する（ステップＳＣ０７）。そして、制御部１３０は、特定したシート側通信コイル１０１ｃと媒体側通信コイル２０１ｃとの間に磁界結合を形成して、この画像データを表示媒体２００に送信する（ステップＳＣ０８）。
このようにすれば、アダプター３００には、アダプター側通信コイル３０１が不要となり、位置検出装置４００に位置を検出されるためだけのシンプルな構造にすることができるため、製造コストを下げることができる。
【００４８】
（７）上述の変形例においては、表示媒体２００に対する画像データの送信および電力の供給をいずれも作業シート１００に行わせたが、画像データの送信のみを作業シート１００に行わせ、電力の供給はアダプター３００に行わせてもよい。この場合、アダプター３００には独自の電源を備えさせ、これによりアダプター３００に電力を供給する。また、パワー受給コイル３１１に替えて、この電源から得られる電力を磁界結合によって無線送電するパワー供給コイル３１２を備えさせる。アダプター３００は必ず表示媒体２００の上述した着色領域ａに重ねて置かれるように定められており、この着色領域ａにはパワー受給コイル２１１ｃが設けられているので、利用者がアダプター３００をここに重ねて置くことにより、パワー受給コイル２１１ｃとパワー供給コイル３１２とが重なり、アダプター３００から表示媒体２００へ電力が供給される。なお、この場合には、作業シート１００にはパワー供給コイル層１１１は設けなくてもよい。
【００４９】
（８）上述の実施形態においては、サーバ５００は他の外部機器と接続されていなかったが、他の外部機器と接続されていてもよい。例えば、インターネットなどの通信回線を介して、別のサーバに接続されていてもよい。この場合に、サーバ５００の制御部５３０は、画像ファイル群５４２を検索して、検索した画像データが見つからないとき、上記通信回線を介して別のサーバにアクセスし、当該サーバに対してその画像データを要求する要求信号を送信してもよい。また、このようにインターネットなどの通信回線を介して互いに接続された各サーバが、それぞれクライアントとしても機能することによって、これらのサーバ間でファイルを共有する構成としてもよい。
【００５０】
（９）上述の実施形態においては、作業シート１００の外部機器インタフェース１５０は有線の通信ケーブルを接続する端子であったが、外部機器インタフェース１５０の機器構成はこれに限られず、例えば無線通信のアンテナであってもよい。この場合には、作業シート１００は、位置検出装置４００やサーバ５００と無線通信により通信を行う。
また、実施形態においては、表示媒体２００側のコイルとアダプター３００側のコイルとの位置を合わせるために、アダプターの底面と同じ形状の着色領域ａを表示媒体２００に設けていたが、この位置あわせを実現する手段はこれに限らない。例えば、アダプターの底面と表示媒体２００の上面に、互いに噛み合うような形状の噛み合わせ機構を設けて一あわせをするようにしてもよい。
【図面の簡単な説明】
【００５１】
【図１】画像情報処理システムの全体構成を示す図である。
【図２】画像情報処理システムの各構成装置の関係を示したブロック図である。
【図３】表示媒体の構成を示すブロック図である。
【図４】アダプターの構成の一例を示すブロック図である。
【図５】作業シートの構成の一例を示す図である。
【図６】コイル位置対応表の一例を示す図である。
【図７】表示媒体およびアダプターが作業シートの送信面に置かれた状態を鉛直方向上方から見た平面図である。
【図８】表示媒体およびアダプターが作業シートの送信面に置かれたときの断面図である。
【図９】サーバの構成の一例を示すブロック図である。
【図１０】画像データ対応表の一例を示す図である。
【図１１】画像情報処理システムの動作の流れを説明するためのシーケンス図である。
【図１２】位置検出装置が検出したエコーの入射角とアダプターの位置の関係を例示した図である。
【図１３】媒体識別情報ＭＩＤを記述した画像データ対応表の一例を示した図である。
【図１４】変形例に係る画像情報処理システムの動作の流れを説明するためのシーケンス図である。
【図１５】アダプターに設けた操作部の一例を示す図である。
【図１６】変形例に係る作業シートの構成の一例を示す図である。
【図１７】変形例に係る通信コイル位置対応表の一例を示す図である。
【図１８】変形例に係る画像情報処理システムの動作の流れを説明するためのシーケンス図である。
【符号の説明】
【００５２】
１…画像情報処理システム、１００…作業シート、１００Ｂ…基板、１０１…シート側通信コイル層、１０１ｃ…シート側通信コイル、１１１…パワー供給コイル層、１１１ｃ…パワー供給コイル、１３０…制御部、１４０…記憶部、１４１…コイル位置対応表、１４２…通信コイル位置対応表、１５０…外部機器インタフェース、１９０…バス、２００，２００−１，２００−２…表示媒体、２００Ｂ…基板、２０１…媒体側通信コイル層、２０１ｃ…媒体側通信コイル、２１１…パワー受給コイル層、２１１ｃ…パワー受給コイル、２３０…制御部、２４０…記憶部、２５０…表示部、２９０…バス、３００，３００−１，３００−２…アダプター、３０１…アダプター側通信コイル、３１１…パワー受給コイル、３１２…パワー供給コイル、３３０…制御部、３４０…記憶部、３５０…通信部、３６０…操作部、３６０−１…次ページ指示ボタン、３６０−２…前ページ指示ボタン、３６０−３…コピー指示ボタン、３９０…バス、４００…位置検出装置、５００…サーバ、５３０…制御部、５４０…記憶部、５４１…画像データ対応表、５４２…画像ファイル群、５５０…通信部、５６０…操作部、５７０…表示部、５９０…バス、ＡＩＤ…アダプター識別情報、ＣＩＤ…識別情報、Ｌ…距離、ＭＩＤ…媒体識別情報、Ｏ…原点、ＯＳ…基本、Ｐ…点、ＳＩＤ…識別情報
【図１】
2009116603.tif 000003
【図２】
2009116603.tif 000004
【図３】
2009116603.tif 000005
【図４】
2009116603.tif 000006
【図５】
2009116603.tif 000007
【図６】
2009116603.tif 000008
【図７】
2009116603.tif 000009
【図８】
2009116603.tif 000010
【図９】
2009116603.tif 000011
【図１０】
2009116603.tif 000012
【図１１】
2009116603.tif 000013
【図１２】
2009116603.tif 000014
【図１３】
2009116603.tif 000015
【図１４】
2009116603.tif 000016
【図１５】
2009116603.tif 000017
【図１６】
2009116603.tif 000018
【図１７】
2009116603.tif 000019
【図１８】
2009116603.tif 000020